(57)【要約】【課題】無線通信機器の実装スペース低減を図り、通信機能を確保しつつ大型化を防止することが可能な電子機器を提供する。【解決手段】電子機器の筐体１８内には、表示パネル２０、表示パネルを照明する光源２２、光源を駆動するインバータ２４が配設されている。インバータは、基板５０およびこの基板上に実装された電子部品５６を有している。筐体内でインバータの基板上にはアンテナ部４２が実装され、このアンテナ部は、無線通信機器に接続されている。【選択図】    図４
2005025370.tif 000002
【特許請求の範囲】
【請求項１】
筐体と、
上記筐体内に配設された表示パネルと、
上記筐体内に配設された上記表示パネル用の回路基板と、
上記筐体内で上記回路基板上に実装されたアンテナ部と、
上記アンテナ部に接続された無線通信機器と、を備えた電子機器。
【請求項２】
筐体と、
上記筐体内に配設された表示パネルと、
上記筐体内に配設された上記表示パネル用の回路基板と、
上記筐体内で上記回路基板上に実装されたアンテナ部と、
上記筐体内で上記回路基板上に実装されたＲＦ部を有し、上記アンテナ部に接続された無線通信機器と、を備えた電子機器。
【請求項３】
筐体と、
上記筐体内に配設された表示パネルと、
上記筐体内に配設された上記表示パネル用の回路基板と、
上記筐体内で上記回路基板上に実装されたアンテナ部と、
上記筐体内でそれぞれ上記回路基板上に実装されたＲＦ部およびモデムを有し、上記アンテナ部に接続された無線通信機器と、を備えた電子機器。
【請求項４】
筐体と、
上記筐体内に配設された表示パネルと、
上記筐体内に配設され上記表示パネル用の回路基板と、
上記筐体内で上記回路基板上に実装されたアンテナ部と、
上記筐体内でそれぞれ上記回路基板上に実装されたＲＦ部、モデム、およびベースバンド部を有し、上記アンテナ部に接続された無線通信機器と、を備えた電子機器。
【請求項５】
上記アンテナ部は、上記回路基板上に形成されたグランドパターンと、上記回路基板上に設けられ上記グランドパターンに接続されたアンテナと、を有している請求項１ないし４のいずれか１項に記載の電子機器。
【請求項６】
上記回路基板は、この回路基板上に設けられ上記アンテナ部のグランドパターンに接続された他のグランドパターンを有している請求項５に記載の電子機器。
【請求項７】
筐体と、
上記筐体内に配設された表示パネルと、
上記筐体内に配設された上記表示パネル用の回路基板と、
上記筐体内に設けられたアンテナ部と、
上記筐体内で上記回路基板上に実装されたＲＦ部を有し、上記アンテナ部に接続された無線通信機器と、を備えた電子機器。
【請求項８】
筐体と、
上記筐体内に配設された表示パネルと、
上記筐体内に配設された上記表示パネル用の回路基板と、
上記筐体内に設けられたアンテナ部と、
上記筐体内でそれぞれ上記回路基板上に実装されたＲＦ部およびモデムを有し、上記アンテナ部に接続された無線通信機器と、を備えた電子機器。
【請求項９】
筐体と、
上記筐体内に配設された表示パネルと、
上記筐体内に配設された上記表示パネル用の回路基板と、
上記筐体内に設けられたアンテナ部と、
上記筐体内でそれぞれ上記回路基板上に実装されたＲＦ部、モデム、およびベースバンド部を有し、上記アンテナ部に接続された無線通信機器と、を備えた電子機器。
【請求項１０】
上記筐体内に配設され上記表示パネルを照明する光源と、上記筐体内に配設された回路基板およびこの回路基板上に実装された電子部品を有し、上記光源を駆動するインバータと、を備え、上記インバータの回路基板は上記表示パネル用の回路基板を構成している請求項１ないし９のいずれか１項に記載の電子機器。
【請求項１１】
機器本体と、
上記機器本体上に支持された筐体と、上記筐体内に配設された表示パネルと、上記筐体内に配設された上記表示パネル用の回路基板と、を備えたディスプレイユニットと、
上記筐体内で上記回路基板上に実装されたアンテナ部と、
上記アンテナ部に接続されたＲＦ部、モデム、およびベースバンド部を有し、上記機器本体内に実装された無線通信機器と、
を具備した電子機器。
【請求項１２】
機器本体と、
上記機器本体上に支持された筐体と、上記筐体内に配設された表示パネルと、上記筐体内に配設された上記表示パネル用の回路基板と、を備えたディスプレイユニットと、
上記筐体内で上記回路基板上に実装されたアンテナ部と、
上記アンテナ部に接続されたＲＦ部、モデム、およびベースバンド部を有した無線通信機器と、を具備し、
上記ＲＦ部、モデム、およびベースバンド部の少なくとも１つは上記筐体内で上記回路基板上に実装され、他は上記機器本体内に実装されていている電子機器。
【請求項１３】
機器本体と、
上記機器本体上に支持された筐体と、上記筐体内に配設された表示パネルと、上記筐体内に配設された上記表示パネル用の回路基板と、を備えたディスプレイユニットと、
上記筐体内に設けられたアンテナ部と、
上記アンテナ部に接続されたＲＦ部、モデム、およびベースバンド部を有した無線通信機器と、を具備し、
上記ＲＦ部、モデム、およびベースバンド部の少なくとも１つは上記筐体内で上記回路基板上に実装され、他は上記機器本体内に実装されている電子機器。
【請求項１４】
上記筐体内に配設され上記表示パネルを照明する光源と、上記筐体内に配設された回路基板およびこの回路基板上に実装された電子部品を有し、上記光源を駆動するインバータと、を備え、上記インバータの回路基板は上記表示パネル用の回路基板を構成している請求項１１ないし１３のいずれか１項に記載の電子機器。
【発明の詳細な説明】
【０００１】
【発明の属する技術分野】
本発明は、ポータブルコンピュータ、携帯端末、移動体通信機器等の電子機器に関し、特に、無線通信機能を備えた電子機器に関する。
【０００２】
【従来の技術】
近年、電子機器として、例えば、無線ＬＡＮやＢｌｕｅｔｏｏｔｈ  等の無線通信機能を備えたノート形のポータブルコンピュータが開発されている。一般に、ポータブルコンピュータは、機器本体と、この機器本体に回動自在に支持されたディスプレイユニットとを備えている。例えば、無線通信を行う無線ＬＡＮは、ＲＦ部、ベースバンド部を有した無線通信機器と、無線通信機器に接続されたアンテナとを備えている。通常、アンテナは、ディスプレイユニットに設けられ、無線通信機器は機器本体内に設けられている。これにより、アンテナ実装位置を、機器本体が載置される机等から離し、良好な電波環境を確保している。
【０００３】
また、ダイバーシティ方式の無線ＬＡＮは２つのアンテナを備え、これのアンテナはいずれもディスプレイユニット内に設けられている（例えば、特許文献１および２参照）。更に、近年、近距離無線方式としてＢｌｕｅｔｏｏｔｈ  が開発され、無線ＬＡＮに加えてこのＢｌｕｅｔｏｏｔｈ  を搭載したポータブルコンピュータも開発されている。この場合、Ｂｌｕｅｔｏｏｔｈ  用のアンテナは、無線ＬＡＮ用のアンテナとともにディスプレイユニット内に実装されている。
【０００４】
【特許文献１】
米国特許明細書第６、４５６、４９９号公報
【０００５】
【特許文献２】
特開２００２−７３２１０号公報
【０００６】
【発明が解決しようとする課題】
上記のように、無線機能を備えたポータブルコンピュータにおいては、複数のアンテナがディスプレイユニット内に配設されている。また、今後、複数の無線通信方式を具備するためには、より多くのアンテナを実装する必要がある。しかしながら、ノート型等のポータブルコンピュータは、小型化、薄型化が必須の課題であり、ディスプレイユニット自体も薄型化および狭額縁化が図られている。更に、ディスプレイユニット内には、液晶表示パネルの他、蛍光灯を含むバックライトユニット、蛍光灯用インバータ等が実装されている。従って、ディスプレイユニット内に複数のアンテナを実装するための充分なスペーサを確保することが困難となる。今後、無線ＬＡＮ、Ｂｌｕｅｔｏｏｔｈ  等に加えて、ウルトラ・ワイド・バンド（ＵＷＢ）やジェネラル・パケット・ラジオ・サービス（ＧＰＲＳ）等の新規な無線通信機器を搭載する場合、アンテナ実装スペースを確保することが一層困難となる。
【０００７】
同様に、機器本体側においても、複数の無線通信機器を実装するための充分なスペースを確保することが難しい。また、ポータブルコンピュータ内部にアンテナを含む無線通信機器の実装構造を設ける必要があり、構造が複雑化するとともに、一層大きな実装スペースが必要となる。
【０００８】
無線通信機器をポータブルコンピュータの機器本体、アンテナをディスプレイユニットに設けた場合、これらの間を結ぶケーブルが比較的長くなり、信号減衰等の性能劣化を生じるとともに、ケーブルのコストも無視できないもとなる。また、携帯電話などの受信感度の高い無線通信機器をポータブルコンピュータに搭載する場合、ケーブルが拾うノイズも無視できないものとなる。
【０００９】
この発明は、以上の点に鑑みなされたもので、その目的は、無線通信機器の実装スペース低減を図り、通信機能を確保しつつ大型化を防止することが可能な電子機器を提供することにある。
【００１０】
【課題を解決するための手段】
上記目的を達成するため、この発明の態様に係る電子機器は、筐体と、上記筐体内に配設された表示パネルと、上記筐体内に配設された上記表示パネル用の回路基板と、上記筐体内で上記回路基板上に実装されたアンテナ部と、上記アンテナ部に接続された無線通信機器と、を備えいる。
【００１１】
また、この発明の他の態様に係る電子機器は、筐体と、上記筐体内に配設された表示パネルと、上記筐体内に配設された上記表示パネル用の回路基板と、上記筐体内に設けられたアンテナ部と、上記筐体内で上記回路基板上に実装されたＲＦ部を有し、上記アンテナ部に接続された無線通信機器と、を備えている。
【００１２】
この発明の他の態様に係る電子機器は、機器本体と、上記機器本体上に支持された筐体と、上記筐体内に配設された表示パネルと、上記筐体内に配設された上記表示パネル用の回路基板と、を備えたディスプレイユニットと、上記筐体内に設けられたアンテナ部と、上記アンテナ部に接続されたＲＦ部、モデム、およびベースバンド部を有した無線通信機器と、を具備し、上記ＲＦ部、モデム、およびベースバンド部の少なくとも１つは上記筐体内で上記回路基板上に実装され、他は上記機器本体内に実装されている。
【００１３】
【発明の実施の形態】
以下図面を参照しながら、この発明に係る電子機器をポータブルコンピュータに適用した第１の実施形態について詳細に説明する。
図１に示すように、ポータブルコンピュータ１は、機器本体２と、この機器本体２に支持されたディスプレイユニット３とを備えている。機器本体２は、例えば合成樹脂で形成された第１筐体４を備えている。第１筐体４は、上壁４ａ、底壁４ｂ、左右の側壁４ｃ、前壁４ｄおよび後壁４ｅを有する偏平な箱状をなしている。上壁４ａの中央部にはキーボード１０が設けられ、また、上面後端部には種々のインジケータ１１が設けられている。上壁４ａの上面前端部はパームレスト部１２を構成し、このパームレスト部のほぼ中央にはタッチパッド１４およびクリックボタン１６が設けられている。
【００１４】
ディスプレイユニット３は、偏平な矩形箱状の第２筐体１８と、第２筐体内に収納された液晶表示パネル２０とを備えている。液晶表示パネル２０は、第２筐体１８に形成された表示窓２１を介して外部に露出している。第２筐体１８は、その一端部から突出した一対の脚部２３を有している。これらの脚部２３は、図示しないヒンジ部を介して、第１筐体４の後端部に回動自在に支持されている。これにより、ディスプレイユニット３は、キーボード１０を上方から覆うように倒される閉じ位置と、キーボード１０の後方において起立する開き位置とに亘って回動可能となっている。
【００１５】
ディスプレイユニット３の第２筐体１８内には、液晶表示パネル２０を駆動する駆動回路２５、液晶表示パネル２０を照明する光源として、細長い蛍光灯２２、および蛍光灯を駆動するインバータ２４が設けられている。駆動回路２５は、それぞれ図示しないプリント回路基板を有し、それぞれ液晶表示パネルの側縁に沿って設けられている。インバータ２４は、第２筐体１８内で、液晶表示パネル２０の側方に設けられている。なお、このインバータ２４は、液晶表示パネル２０の側方に限らず、上方、下方、あるいは、背面側に液晶表示パネルと重ねて設けてもよい。
【００１６】
また、ポータブルコンピュータ１は、無線ＬＡＮを構成した無線通信機器３０およびアンテナ部４２を備えている。図２および図３に示すように、無線通信機器３０は、ＭＡＣ（メディア・アクセス・コントロール）／ベースバンド部３２、モデム３４、ＩＦ（中間周波数）／ＲＦ（ラジオ周波数）部３６を備えている。ＭＡＣ／ベースバンド部３２は、インターフェース（Ｉ／Ｆ）３８を介して、機器本体２内に設けられたシステム基板上のＣＰＵバス４０に接続されている。また、ＩＦ／ＲＦ回路３６はケーブルを介してアンテナ部４２に接続されている。
【００１７】
ＭＡＣ／ベースバンド部３２はその内部で２つのブロックに分かれて構成され、Ｉ／Ｆ３８側に位置したＭＡＣ部、およびモデム３４側に位置したベースバンド部を有している。ＭＡＣ部はフレーム構成された信号を生成し、ベースバンド部は構成されたフレームを変調しＩ（同相成分）、Ｑ（直交成分）信号を生成する。
【００１８】
送信時、ＭＡＣ／ベースバンド部３２はＣＰＵバス４０を介してＣＰＵ４１から送られたデジタル信号をフレーム構成し、その信号に変調を施す。この変調された信号のＩ、Ｑのベースバンド信号を生成する。このベースバンド信号をＤＡコンバータに通してアナログ信号に変換した後、モデム３４へ出力する。
【００１９】
受信時、ＭＡＣ／ベースバンド部３２はモデム３４から受け取ったＩ、Ｑアナログ信号をＡＤコンバータによりデジタル信号に変換し、Ｉ／Ｆ３８に適した信号へと復調する。
【００２０】
モデム３４は、送信時、ＭＡＣ／ベースバンド部３２から受けたＩ、Ｑアナログ信号を混合、変調することで、中間周波数帯信号を生成し、ＩＦ／ＲＦ回路３６へ渡す。また、受信時、モデム３４は、ＩＦ／ＲＦ回路３６から受け取る中間波長帯信号を復調し、Ｉ、Ｑアナログ信号を生成してＭＡＣ／ベースバンド部３２へ出力する。
【００２１】
ＲＦ部として機能するＩＦ／ＲＦ回路３６は、送信時、モデム３４から受け取ったアナログ信号を、目的の周波数２．４ＧＨｚ帯まであげ、実際にアンテナ部４２から送信する信号を生成する。そして、ＩＦ／ＲＦ回路３６は、この信号を増幅してアンテナ部４２へ送る。受信時、ＩＦ／ＲＦ回路３６は、アンテナ部４２が受信した信号を増幅し、復調することで、中間周波数帯まで落とす。
【００２２】
このように、ＭＡＣ／ベースバンド部３２およびモデム３４間では、数ＭＨｚないし数十ＭＨｚの比較的低い周波数のＩ、Ｑアノログ信号が受け渡たされる。モデム３４およびＩＦ／ＲＦ回路３６では、数百ＭＨｚの中間周波数信号が受け渡される。また、ＩＦ／ＲＦ回路３６およびアンテナ部４２間では、２．４ＧＨｚ帯の高周波信号が受け渡される。
なお、Ｉ／Ｆ３８としては、通信方式、用途に応じて、ＰＣＩ  Ｉ／Ｆ、ＵＳＢ  Ｉ／Ｆ、あるいはＰＣＭＣＩＡ  Ｉ／Ｆを用いる。
【００２３】
無線通信機器３０を構成するＭＡＣ／ベースバンド部３２、モデム３４、ＩＦ／ＲＦ回路３６は、ポータブルコンピュータ１の機器本体２内に設けられ図示しないシステム基板上に実装されている。無線通信機器３０はＩ／Ｆ３８を介してＣＰＵバス４０に接続されている。このＣＰＵバス４０には、ポータブルコンピュータ１のＣＰＵ４１、受信データおよび送信データを格納するメモリ４４等が接続されている。その他、機器本体２内には、液晶表示パネル２０に表示する画像を処理する画像処理回路４６等が設けられている。
【００２４】
一方、電波の輻射、受信を行うアンテナ部４２は、ディスプレイユニット３の第２筐体１８内に設けられているとともに、インバータ２４と一体的に構成されている。図４および図５に示すように、インバータ２４は、細長い帯状のプリント回路基板５０を備えている。このプリント回路基板５０は、ポリイミド、ガラスエポキシ等で形成された絶縁層５２、絶縁層上に形成された図示しない配線バターン、および絶縁層内でこの絶縁層のほぼ全体に渡って形成されたグランドパターン５４を有している。なお、インバータ２４のプリント回路基板５０は、この発明における表示パネル用の回路基板として機能する。
【００２５】
配線パターン上には複数の電子部品５６が実装されている。電子部品５６の一部は、プリント回路基板５０に取付けられた透明なシールドカバー５８により覆われている。また、プリント回路基板５０の長手方向一端にはコネクタ６０が実装され、このコネクタには複数の配線６２が接続されている。
【００２６】
アンテナ部４２は、例えば、基板実装型アンテナとして構成され、インバータ２４のプリント回路基板５０上に実装されている。すなわち、アンテナ部４２はアンテナ基板として機能する絶縁基板６４を有し、この絶縁基板は、インバータ２４のプリント回路基板５０の一部により構成されている。ここでは、絶縁基板６４は、プリント回路基板５０の内、コネクタ６０と反対側に位置した長手方向一端部により構成されている。絶縁基板６４の内部には、ほぼ全体に渡ってグランドパターン６６が形成され、インバータ２４のグランドパターン５４と接続されている。グランドパターン５４、６６間には、プリント回路基板５０の長手方向と直交して延びたスリット６７が形成されている。
【００２７】
アンテナ部４２は、絶縁基板６４上に設けられたチップアンテナ６８、およびこのチップアンテナに接続された同軸コネクタ７０を備えている。そして、アンテナ部４２は、同軸コネクタ７０に接続された同軸ケーブル７２を介して、機器本体２側に設けられたＩＦ／ＲＦ回路３６に接続されている。なお、アンテナ自体は、チップアンテナに限らず、板金によるアンテナ、あるいはストリップラインにより形成されたアンテナとしてもよい。
【００２８】
図１および図３に示したように、インバータ２４は第２筐体１８内で液晶表示パネル２０の側方に配置され、第２筐体の側縁に沿って延びている。ディスプレイユニット３を開き位置に起立した状態において、インバータ２４は、コネクタ６０が設けたれている端部が下方、アンテナ部４２が上方に位置するように配置されている。そして、インバータ２４は、配線６２介して、機器本体２側の電源、ＣＰＵバス４０に接続されている。配線６２および同軸ケーブル７２は、第２筐体１８の脚部２３を通して機器本体２の第１筐体４内に引き込まれている。
【００２９】
上記構成のポータブルコンピュータにおいて、無線ＬＡＮによりデータを送信する場合、ＣＰＵ４１は送信データをメモリ４４に格納した後、この格納されたデジタルの送信データを、ＣＰＵバス４０およびＩ／Ｆ３８を介して無線通信機器３０に送る。
【００３０】
無線通信機器３０において、ＭＡＣ／ベースバンド部３２は、入力された送信データを変調してベースバンド信号を生成し、このベースバンド信号をＤＡコンバータに通してアナログ信号に変換した後、モデム３４へ出力する。モデム３４は、ＭＡＣ／ベースバンド部３２から受けたＩ、Ｑアナログ信号を混合、変調して中間周波数帯信号を生成し、ＩＦ／ＲＦ回路３６へ出力する。
【００３１】
ＩＦ／ＲＦ回路３６は、モデム３４から受け取ったアナログ信号を目的の周波数２．４ＧＨｚ帯まであげ、アンテナ部４２から送信する信号を生成する。そして、ＩＦ／ＲＦ回路３６は、この信号を増幅し、同軸ケーブル７２を介してアンテナ部４２へ出力する。これにより、アンテナ部４２のチップアンテナ６８から送信データが送信される。
【００３２】
一方、無線ＬＡＮからデータを受信する場合、アンテナ部４２のチップアンテナ６８で受信されたデータは、同軸ケーブル７２を介してＩＦ／ＲＦ回路３６へ送られる。ＩＦ／ＲＦ回路３６は、入力された受信データを増幅し、復調することで、中間周波数帯まで落とした後、モデム３４へ出力する。モデム３４は、ＩＦ／ＲＦ回路３６から受け取る中間波長帯信号を復調し、Ｉ、Ｑアナログ信号を生成してＭＡＣ／ベースバンド部３２へ出力する。
【００３３】
ＭＡＣ／ベースバンド部３２はモデム３４から受け取ったＩ、Ｑアナログ信号をＡＤコンバータによりデジタル信号に変換し、Ｉ／Ｆ３８に適した信号へと復調した後、このＩ／Ｆを介してＣＰＵバス４０に出力する。ＣＰＵバス４０に出力された受信データはメモリ４４に格納される。
【００３４】
以上のように構成されたポータブルコンピュータ１によれば、無線通信用のアンテナ部をインバータ２４の基板上に実装し、インバータの基板の一部をアンテナ部として共用している。これにより、ディスプレイユニット３内におけるアンテナ部用の実装スペースを低減することができる。すなわち、基板実装型のアンテナにおいて、チップアンテナ自体は小型であるが、通常、チップアンテナを実装する実装基板およびその基板の実装スペースが必要となる。また、基板のコストもかかってしまう。本実施形態によれば、アンテナをインバータ２４の基板に実装し、この基板をアンテナ部の基板として用いることにより、アンテナ部実装スペースの低減および基板コストの低減を図ることができる。
【００３５】
同時に、ディスプレイユニット３の第２筐体１８に、アンテナ部専用の実装構造を設ける必要がなく、構造および組立て簡略化、更には、実装スペース低減を図ることができる。これに伴い、第２筐体１８内のスペースを効率良く利用することができ、上述した無線ＬＡＮ用のアンテナに加えて、他の無線通信、例えば、Ｂｌｕｅｔｏｏｔｈ  、ＵＷＢ、ＧＰＲＳ等に用いるアンテナの実装スペースを第２筐体内に確保することが可能となる。以上のことから、通信機能を確保しつつ大型化を防止することが可能なポータブルコンピュータ１が得られる。
【００３６】
次に、この発明の第２の実施形態に係るポータブコンピュータについて説明する。図６に示すように、第２の実施形態によれば、インバータ２４のプリント回路基板５０上には、アンテナ部４２に加えて、無線通信機器３０のＩＦ／ＲＦ回路３６が実装されている。アンテナ部４２は、プリント回路基板５０の長手方向一端部に設けられ、ＩＦ／ＲＦ回路３６はアンテナ部に並んで設けられている。アンテナ部４２のチップアンテナ６８はプリント回路基板５０上に形成された配線パターンを通してＩＦ／ＲＦ回路３６に接続されている。
【００３７】
一方、無線通信機器３０の他の構成部分、すなわち、モデム３４およびＭＡＣ／ベースバンド部３２は、ポータブルコンピュータ１の機器本体２内に設けられている。プリント回路基板５０上のＩＦ／ＲＦ回路３２は、配線６２を介してモデム３４に接続されている。
【００３８】
第２の実施形態において、他の構成は上述した第１の実施形態と同一であり、同一の部分には同一の参照符号を付してその詳細な説明を省略する。
第２の実施形態に係るポータブルコンピュータによれば、アンテナ部４２をインバータ２４の基板上に実装することにより、前述した第１の実施形態と同様の作用効果を得ることができる。また、無線通信機器３０のＩＦ／ＲＦ回路３６はディスプレイユニット３の第２筐体１８内でインバータ２４のプリント回路基板５０上に実装され、アンテナ部４２と電気的に接続されている。そのため、ＩＦ／ＲＦ回路３６を機器本体２側に設けた場合に比較して、アンテナ部４２とＩＦ／ＲＦ回路とを接続するケーブルあるいは配線の長さを大幅に低減することが可能となる。これにより、アンテナ部４２およびＩＦ／ＲＦ回路３６間で送られる高周波信号の減衰を大幅に低減することができる。また、ケーブルのコストを削減できるとともに、ケーブルが拾うノイズを大幅に低減することが可能となる。
【００３９】
なお、ＩＦ／ＲＦ回路３６とモデム３４との間はケーブルにより接続されるが、これらの間で送られる信号は数百ＭＨｚ程度の中間周波数信号であり、ケーブルを通る間の減衰は高周波信号に比較して十分に小さい。従って、送信、受信時における信号の減衰を低減し、通信性能の向上を図ることができる。
【００４０】
アンテナ部４２とＩＦ／ＲＦ回路３６とをプリント回路基板５０上に形成された配線パターンを通して接続することにより、比較的大きな同軸コネクタを省略でき、小型化および製造コスト低減を図ることができる。また、ＩＦ／ＲＦ回路３６をディスプレイユニット３側へ設け液晶表示パネル２０の周辺スペースを有効活用することにより、機器本体２における無線通信機器３０を小型化し実装スペースの低減を図ることが可能となる。
【００４１】
次に、この発明の第３の実施形態に係るポータブコンピュータについて説明する。図７に示すように、第３の実施形態によれば、インバータ２４のプリント回路基板５０上には、アンテナ部４２に加えて、無線通信機器３０のＩＦ／ＲＦ回路３６およびモデム３４が実装されている。アンテナ部４２は、プリント回路基板５０の長手方向一端部に設けられ、ＩＦ／ＲＦ回路３６、モデム３４はアンテナ部に並んで設けられている。アンテナ部４２のチップアンテナ６８はプリント回路基板５０上に形成された配線パターンを通してＩＦ／ＲＦ回路３６に接続されている。
【００４２】
無線通信機器３０の他の構成部分、すなわち、ＭＡＣ／ベースバンド部３２は、ポータブルコンピュータ１の機器本体２内に設けられている。プリント回路基板５０上のモデム３４は、配線６２を介してＭＡＣ／ベースバンド部３２に接続されている。
第３の実施形態において、他の構成は上述した第１および第２の実施形態と同一であり、同一の部分には同一の参照符号を付してその詳細な説明を省略する。
【００４３】
第３の実施形態に係るポータブルコンピュータによれば、アンテナ部４２、ＩＦ／ＲＦ回路３６、およびモデム３４をインバータ２４の基板上に実装することにより、前述した第１および第２の実施形態と同様の作用効果を得ることができる。
【００４４】
インバータ２４に設けられたモデム３４と機器本体２側に設けられたＭＡＣ／ベースバンド部３２との間はケーブルにより接続されるが、これらの間で送られる信号は数十ＭＨｚ程度の低周波信号であり、ケーブルを通る間の減衰は高周波信号に比較して十分に小さい。従って、送信、受信時における信号の減衰を低減し、通信性能の向上を図ることができる。
【００４５】
また、ＩＦ／ＲＦ回路３６およびモデム３４をディスプレイユニット３側へ設け液晶表示パネル２０の周辺スペースを有効活用することにより、機器本体２における無線通信機器３０を小型化し実装スペースの低減を図ることが可能となる。
【００４６】
次に、この発明の第４の実施形態に係るポータブコンピュータについて説明する。図８に示すように、第４の実施形態によれば、インバータ２４のプリント回路基板５０上には、アンテナ部４２に加えて、無線通信機器３０のＩＦ／ＲＦ回路３６、モデム３４、およびＭＡＣ／ベースバンド部３２が実装されている。アンテナ部４２は、プリント回路基板５０の長手方向一端部に設けられ、ＩＦ／ＲＦ回路３６、モデム３４、およびＭＡＣ／ベースバンド部３２はアンテナ部に並んで設けられている。アンテナ部４２のチップアンテナ６８はプリント回路基板５０上に形成された配線パターンを通してＩＦ／ＲＦ回路３６に接続されている。ＭＡＣ／ベースバンド部３２は、配線６２を介して機器本体２内のＩ／Ｆ３８に接続されている。
【００４７】
第４の実施形態において、他の構成は上述した第１ないし第３の実施形態と同一であり、同一の部分には同一の参照符号を付してその詳細な説明を省略する。
第４の実施形態に係るポータブルコンピュータによれば、アンテナ部４２、ＩＦ／ＲＦ回路３６、モデム３４、およびＭＡＣ／ベースバンド部３２をインバータ２４の基板上に実装することにより、前述した第１ないし第３の実施形態と同様の作用効果を得ることができる。
【００４８】
インバータ２４に設けられたＭＡＣ／ベースバンド部３２と機器本体２側に設けられたＩ／Ｆ３８との間はケーブルにより接続されるが、これらの間で送られる信号はデジタル信号であり、減衰が小さく、且つ、ノイズ等を受けにくいことから信頼性が向上する。また、無線通信機器３０全体をディスプレイユニット３側へ設け液晶表示パネル２０の周辺スペースを有効活用することにより、機器本体２における利用可能スペースを拡大することが可能となる。
【００４９】
次に、この発明の第５の実施形態に係るポータブコンピュータについて説明する。図９に示すように、第５の実施形態によれば、アンテナ部４２は、インバータ２４のプリント回路基板５０と独立した絶縁基板６４有し、ディスプレイユニットの第２筐体内でインバータ２４に隣接して設けられている。絶縁基板６４上には、チップアンテナ６８および同軸コネクタ７０が実装されている。また、絶縁基板６４内にはグランドパターン６６が形成され、チップアンテナ６８に接続されている。
【００５０】
インバータ２４のプリント回路基板５０上には、無線通信機器３０のＩＦ／ＲＦ回路３６が実装されている。ここでは、ＩＦ／ＲＦ回路３６は、プリント回路基板５０の内、コネクタ６０と反対側の長手方向一端部、特に、アンテナ部４２に隣接して位置した長手方向一端部に設けられている。そして、ＩＦ／ＲＦ回路３６は、ケーブル７２を介してアンテナ部４２に接続されている。
【００５１】
無線通信機器３０の他の構成部分、すなわち、モデム３４およびＭＡＣ／ベースバンド部３２は、ポータブルコンピュータの機器本体２内に設けられている。プリント回路基板５０上のＩＦ／ＲＦ回路３２は、配線６２を介してモデム３４に接続されている。
第５の実施形態において、他の構成は上述した第１の実施形態と同一であり、同一の部分には同一の参照符号を付してその詳細な説明を省略する。
第５の実施形態に係るポータブルコンピュータによれば、無線通信機器のＩＦ／ＲＦ回路３６をインバータ２４の基板上に実装することにより、ＩＦ／ＲＦ回路３６を機器本体２側に設けた場合に比較して、アンテナ部４２とＩＦ／ＲＦ回路とを接続するケーブル７２の長さを大幅に低減することが可能となる。これにより、アンテナ部４２およびＩＦ／ＲＦ回路３６間で送られる高周波信号の減衰を大幅に低減することができる。また、ケーブルのコストを削減できるとともに、ケーブルが拾うノイズを大幅に低減することが可能となる。
【００５２】
ＩＦ／ＲＦ回路３６とモデム３４との間はケーブルにより接続されるが、これらの間で送られる信号は数百ＭＨｚ程度の中間周波数信号であり、ケーブルを通る間の減衰は高周波信号に比較して十分に小さい。従って、送信、受信時における信号の減衰を低減し、通信性能の向上を図ることができる。ＩＦ／ＲＦ回路３６をディスプレイユニット３側へ設け液晶表示パネル２０の周辺スペースを有効活用することにより、機器本体２における無線通信機器３０を小型化し実装スペースの低減を図ることが可能となる。
【００５３】
次に、この発明の第６の実施形態に係るポータブコンピュータについて説明する。図１０に示すように、第６の実施形態によれば、アンテナ部４２は、インバータ２４のプリント回路基板５０と独立した絶縁基板６４有し、ディスプレイユニットの第２筐体内でインバータ２４に隣接して設けられている。絶縁基板６４上には、チップアンテナ６８および同軸コネクタ７０が実装されている。また、絶縁基板６４内にはグランドパターン６６が形成され、チップアンテナ６８に接続されている。
【００５４】
インバータ２４のプリント回路基板５０上には、無線通信機器３０のＩＦ／ＲＦ回路３６およびモデム３４が実装されている。ＩＦ／ＲＦ回路３６は、プリント回路基板５０の内、コネクタ６０と反対側の長手方向一端部、特に、アンテナ部４２に隣接して位置した長手方向一端部に設けられている。ＩＦ／ＲＦ回路３６は、ケーブル７２を介してアンテナ部４２に接続されている。
【００５５】
無線通信機器３０の他の構成部分、すなわち、ＭＡＣ／ベースバンド部３２は、ポータブルコンピュータの機器本体２内に設けられている。プリント回路基板５０上のモデム３４は、配線６２を介してＭＡＣ／ベースバンド部３２に接続されている。
第６の実施形態において、他の構成は上述した第１の実施形態と同一であり、同一の部分には同一の参照符号を付してその詳細な説明を省略する。
第６の実施形態に係るポータブルコンピュータによれば、無線通信機器のＩＦ／ＲＦ回路３６をインバータ２４の基板上に実装することにより、ＩＦ／ＲＦ回路３６を機器本体２側に設けた場合に比較して、アンテナ部４２とＩＦ／ＲＦ回路とを接続するケーブル７２の長さを大幅に低減することが可能となる。これにより、アンテナ部４２およびＩＦ／ＲＦ回路３６間で送られる高周波信号の減衰を大幅に低減することができる。また、ケーブルのコストを削減できるとともに、ケーブルが拾うノイズを大幅に低減することが可能となる。
【００５６】
モデム３４とＭＡＣ／ベースバンド部３２との間はケーブルにより接続されるが、これらの間で送られる信号は数十ＭＨｚ程度の低周波数信号であり、ケーブルを通る間の減衰は高周波信号に比較して十分に小さい。従って、送信、受信時における信号の減衰を低減し、通信性能の向上を図ることができる。ＩＦ／ＲＦ回路３６およびモデム３４をディスプレイユニット３側へ設け液晶表示パネル２０の周辺スペースを有効活用することにより、機器本体２における無線通信機器３０を小型化し実装スペースの低減を図ることが可能となる。
【００５７】
次に、この発明の第７の実施形態に係るポータブコンピュータについて説明する。図１１に示すように、第７の実施形態によれば、インバータ２４のプリント回路基板５０上には、無線通信機器３０のＩＦ／ＲＦ回路３６、モデム３４、およびＭＡＣ／ベースバンド部３２が実装されている。ＩＦ／ＲＦ回路３６は、プリント回路基板５０の内、コネクタ６０と反対側の長手方向一端部、特に、アンテナ部４２に隣接して位置した長手方向一端部に設けられている。ＩＦ／ＲＦ回路３６は、ケーブル７２を介してアンテナ部４２に接続されている。モデム３４およびＭＡＣ／ベースバンド部３２はＩＦ／ＲＦ回路３６に並んで設けられている。
第７の実施形態において、他の構成は上述した第６の実施形態と同一であり、同一の部分には同一の参照符号を付してその詳細な説明を省略する。
第７の実施形態に係るポータブルコンピュータによれば、無線通信機器のＩＦ／ＲＦ回路３６、モデム３４、およびＭＡＣ／ベースバンド部３２をインバータ２４の基板上に実装することにより、前述した第５および第６の実施形態と同様の作用効果を得ることができる。
【００５８】
インバータ２４に設けられたＭＡＣ／ベースバンド部３２と機器本体２側に設けられたＩ／Ｆ３８との間はケーブルにより接続されるが、これらの間で送られる信号はデジタル信号であり、減衰が小さく、且つ、ノイズ等を受けにくいことから信頼性が向上する。また、無線通信機器３０全体をディスプレイユニット３側へ設け液晶表示パネル２０の周辺スペースを有効活用することにより、機器本体２における利用可能スペースを拡大することが可能となる。
【００５９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００６０】
上述したポータブルコンピュータのディスプレイユニットにおいて、光源として機能する蛍光灯は１本に限らず、２本としてもよい。この場合、各蛍光灯ごとにインバータを設けてもよく、あるいは、単一のインバータにより２本の蛍光灯を駆動する構成としてもよい。また、無線通信機器およびアンテナ部は、１つに限らず、複数組設けられていてもよく、その内、少なくとも１つのアンテナ部、あるいは、無線通信機器の少なくとも１つの構成要素をインバータの基板上に実装することにより、上記と同様の作用効果を得ることができる。
【００６１】
インバータの回路基板上においてアンテナ部あるいは無線通信機器の実装位置は、上述した長手方向一端部に限定されることなく、必要に応じて種々選択可能である。また、上述した実施形態において、表示パネル用の回路基板として、インバータのプリント回路基板を一例に示したが、これに限らず、表示パネル用の回路基板として駆動回路２５のプリント回路基板を用い、このプリント回路基板上にアンテナ部、無線通信機器の少なくとも１つを実装する構成としてもよい。
【００６２】
上述した実施形態においては、無線通信機能として無線ＬＡＮについて説明したが、これに限らず、Ｂｌｕｅｔｏｏｔｈ  あるいは他の方式の無線通信機器を適用してもよい。その他、この発明は、機器本体およびディスプレイユニットを備えたポータブルコンピュータに限らず、ＰＤＡ（パーソナル・デジタル・アシスタント）等、機器本体とディスプレイユニットとが共通の筐体により構成された他の電子機器にも適用可能である。
【００６３】
【発明の効果】
以上詳述したように、本発明によれば、無線通信機器の実装スペース低減を図り、通信機能を確保しつつ大型化を防止することが可能な電子機器を提供することができる。
【図面の簡単な説明】
【図１】この発明の第１の実施形態に係るポータブルコンピュータを示す斜視図。
【図２】上記ポータブルコンピュータに設けられた無線通信機器およびアンテナ部を概略的に示すブロック図。
【図３】上記ポータブルコンピュータの機器本体内部構造を概略的に示すブロック。
【図４】上記ポータブルコンピュータに設けられたインバータを示す斜視図。
【図５】上記インバータを示す側面図。
【図６】この発明の第２の実施形態に係るポータブルコンピュータにおけるインバータを示す側面図。
【図７】この発明の第３の実施形態に係るポータブルコンピュータにおけるインバータを示す側面図。
【図８】この発明の第４の実施形態に係るポータブルコンピュータにおけるインバータを示す側面図。
【図９】この発明の第５の実施形態に係るポータブルコンピュータにおけるインバータおよびアンテナ部を示す側面図。
【図１０】この発明の第６の実施形態に係るポータブルコンピュータにおけるインバータおよびアンテナ部を示す側面図。
【図１１】この発明の第７の実施形態に係るポータブルコンピュータにおけるインバータおよびアンテナ部を示す側面図。
【符号の説明】
２…機器本体、    ３…ディスプレイユニット
４…第１筐体、  １８…第２筐体、  ２０…液晶表示パネル
２２…蛍光灯、  ２４…インバータ、３０…無線通信機器
３２…ＭＡＣ／ベースバンド部、  ３４…モデム、
３６…ＩＦ／ＲＦ回路、  ５０…基板、  ４２…アンテナ部、
５４、６４…グランドパターン  ６８…チップアンテナ
【図１】
2005025370.tif 000003
【図２】
2005025370.tif 000004
【図３】
2005025370.tif 000005
【図４】
2005025370.tif 000006
【図５】
2005025370.tif 000007
【図６】
2005025370.tif 000008
【図７】
2005025370.tif 000009
【図８】
2005025370.tif 000010
【図９】
2005025370.tif 000011
【図１０】
2005025370.tif 000012
【図１１】
2005025370.tif 000013